(57)【特許請求の範囲】
【請求項１】
軸
0005701204.tif 000079
と一体になって直交座標系
0005701204.tif 000080
を定義する軸
0005701204.tif 000081
の周りで回転式にブレード（２）を駆動するために、内部に流体を流すことが意図され、
前縁部（４）および後縁部（５）によって画定され、
前記前縁部（４）と前記後縁部（５）との間で狭くなり、
中立軸（１０）に沿って延在する駆動面（３）を備える、流体からエネルギーを発生させる装置用のブレード（２）であって、
0005701204.tif 000082
平面への前記中立軸（１０）の投影は、前記
0005701204.tif 000083
平面において、前記中立軸が前記前縁部から前記後縁部まで軸
0005701204.tif 000084
から離れる、または、近づくように配置され、前記
0005701204.tif 000085
平面は、前記前縁部（４）に沿って前記中立軸（１０）を含むように画定されていることを特徴とするブレード（２）。
【請求項２】
0005701204.tif 000086
平面への前記中立軸（１０）の投影は第２の湾曲を示す、請求項１に記載のブレード（２）。
【請求項３】
前記中立軸（１０）は、前記
0005701204.tif 000087
平面に対して角度ｄで傾斜している平面Ｐに含まれている、請求項１または２に記載のブレード（２）。
【請求項４】
前記角度ｄは５０°と９０°との間に含まれる、請求項３に記載のブレード（２）。
【請求項５】
前記平面Ｐは前記
0005701204.tif 000088
軸と平行であると認められる、請求項３または４のいずれかに記載のブレード（２）。
【請求項６】
前記中立軸は、前記平面Ｐ内に、一定の主曲率半径を示す、請求項３〜５のうちのいずれかに記載のブレード（２）。
【請求項７】
前記中立軸（１０）は、前記前縁部上の点Ａと、平面
0005701204.tif 000089
に含まれている点Ｂと、前記後縁部（５）上の点Ｃとを含み、前記中立軸の点Ａおよび点Ｂによって画定された部分ＡＢと、点Ｂおよび点Ｃによって画定された部分ＢＣとは、前記
0005701204.tif 000090
平面の両側に位置し、前記中立軸（１０）の前記ＡＢ部分が、前記
0005701204.tif 000091
平面に対して、１０％と１５％との間に含まれる空洞部を画定する、前記請求項３〜６のうちのいずれかに記載のブレード（２）。
【請求項８】
前記駆動面（３）は前記中立軸（１０）の周りでねじれている、請求項７に記載のブレード（２）。
【請求項９】
前記駆動面（３）は、部分ＢＣに沿って、前記中立軸（１０）の周りでねじれているが、ＡＢ部分に沿ってねじれておらず、
該ねじれは、４０°と８０°との間に含まれる、請求項７と組み合わされた請求項８に記載のブレード（２）。
いない。
【請求項１０】
前記駆動面（３）は、前記中立軸（１０）と平行に延在していると認められる開口部（６）を備える、前記請求項８または９に記載のブレード（２）。
【請求項１１】
前記中立軸（１０）のすべての点ｐｉで、平面Ｐと垂直である平面
0005701204.tif 000092
に含まれる前記駆動面（３）の断面は、平面
0005701204.tif 000093
に関して対称であり、ここで、平面
0005701204.tif 000094
および
0005701204.tif 000095
は直交座標系
0005701204.tif 000096
によって定義され、この直交座標系の原点は点ｐｉと一致し、この直交座標系の
0005701204.tif 000097
軸は点ｐｉにおける前記中立軸（１０）への接線と一致し、前記後縁部（５）の方へ方向付けられ、この直交座標系の
0005701204.tif 000098
軸は上記ねじれに沿っている、請求項８に記載のブレード（２）。
【請求項１２】
前記駆動面（３）の断面は円の一部分の形状を有していると認められる、請求項１１に記載のブレード（２）。
【請求項１３】
前記前縁部（４）で取得された前記駆動面（３）の断面の径Ｄｌｅａｄｉｎｇ（７）に対し、前記後縁部で取得された前記駆動面（３）の断面の径ｔｒａｉｌｉｎｇ（８）が、
Ｄｌｅａｄｉｎｇ／３．５≦Ｄｔｒａｉｌｉｎｇ≦Ｄｌｅａｄｉｎｇ／２．５
となるようにされている、請求項１２に記載のブレード（２）。
【請求項１４】
前記前縁部（４）で取得された前記駆動面（３）の断面の径Ｄｌｅａｄｉｎｇ（７）に対し、前記前縁部（４）と前記後縁部（５）との間の弦長Ｌ（９）が、
Ｄｌｅａｄｉｎｇ・３．５≦Ｌ≦Ｄｌｅａｄｉｎｇ・４．５
となるようにされる、請求項１２または１３に記載のブレード（２）。
【請求項１５】
前記請求項１〜１４のうちのいずれかに記載の少なくとも１つのブレード（２）を有するローターを備える、流体からエネルギーを発生させる装置。
【発明の詳細な説明】
【技術分野】
【０００１】
本発明は、空気または水である可能性がある流体のフローからエネルギーを発生させるブレードに関する。
【背景技術】
【０００２】
過去数年に亘って、化石燃料源の環境問題および増大するコストは、代替的なエネルギー形式、特に、風力タービンの分野に新たな関心を引き起こしている。
【０００３】
最新の風力タービンの解決法は、風の向きと垂直に延在し、マストに搭載された水平軸にローターが付いている風力タービンで構成されている。
【０００４】
このテクノロジーは多くの場合に大規模設備のため使用される。
【０００５】
より小型の解決法は、特に、電気エネルギーを消費する建物に近接した設備のためさらに提案されている。仏国特許出願公開第２８７２８６７（Ａ）号明細書はこの分類に属し、ローターのブレードが半円錐形状であり、回転軸とほぼ平行であるローターを有する風力発電機で構成されている、風からエネルギーを発生させる装置を開示する。基本的に水平方向回転軸と共に使用されると、このタイプのエネルギー発生装置は、主として建物の屋上の複数の設置場所と適合するために十分に小型である。
【０００６】
風力発電機の効率は一般に満足できるが、風力発電機の出力の改善は非常に望ましい。
【先行技術文献】
【特許文献】
【０００７】
【特許文献１】仏国特許出願公開第２８７２８６７（Ａ）号明細書
【発明の概要】
【発明が解決しようとする課題】
【０００８】
本発明はこのタイプのエネルギー発生装置の出力を改善することを目指している。
【課題を解決するための手段】
【０００９】
このために、本発明は、軸
0005701204.tif 000002
と一体になって直交座標系
0005701204.tif 000003
を定義する軸
0005701204.tif 000004
の周りで回転式にブレード（２）を駆動するために、内部に流体を流すことが意図されている駆動面を備える、流体からエネルギーを発生させるブレードを提供する。ブレードは、前縁部および後縁部によって画定され、前縁部と後縁部との間で狭くなる。ブレードは、
0005701204.tif 000005
平面への投影が第１の湾曲を有する中立軸に沿って延び、
0005701204.tif 000006
平面は前縁の近くに中立軸を含むように画定されている。
よって、発明は、ブレードが流体のエネルギーの実質的な部分を捕捉することを可能にする非常に特有のブレード形状を提供する。
場合によっては、発明は、以下の特徴のうちの少なくとも１つを有することができる。
第１の湾曲は、
0005701204.tif 000007
平面内で、中立軸が前縁部から後縁部まで軸
0005701204.tif 000008
から離れるように配置されている。別の実施形態では、第１の湾曲は、
0005701204.tif 000009
平面内で、中立軸が前縁部から後縁部まで軸
0005701204.tif 000010
に近づくように配置されている。
好ましくは、ブレードは、前縁部から後縁部まで延在し、軸
0005701204.tif 000011
と平行であると認められる第１の部分を有する。ブレードは、第１の部分から後縁部まで延在し、湾曲している第２の部分を有する。この湾曲は、軸
0005701204.tif 000012
の後縁部から離れ、または、代替的かつ特に有利な実施形態では、後縁部に近づく傾向がある。この湾曲の向きは、
0005701204.tif 000013
平面と垂直であると認められる。
中立軸の
0005701204.tif 000014
平面への投影は第２の湾曲を示す。
中立軸は、平面Ｐに含まれ、
0005701204.tif 000015
に対して角度ｄで傾いている。
角度ｄは５０°と１００°との間に含まれ、好ましくは、６０°と９０°との間に含まれる。
有利な点として、角度ｄは５５°と６５°との間に含まれる。
平面Ｐは
0005701204.tif 000016
軸と平行であると認められる。
平面Ｐ内で、中立軸は一様な主曲率を示す。
上記主曲率は、Ｌが中立軸の長さであるとき、Ｌ／２と１０Ｌとの間、好ましくは、０．７ＬとＬとの間に含まれる曲率半径Ｒρを有する。
後縁部での平面Ｐと
0005701204.tif 000017
との交点は中立軸に属している点Ａを定義する。
中立軸は、前縁部の点Ａと、
0005701204.tif 000018
に含まれている点Ｂと、後縁部の点Ｃとを含むので、点Ａおよび点Ｂと、点Ｂおよび点Ｃとによってそれぞれ画定された中立軸の部分ＡＢおよび部分ＢＣは、
0005701204.tif 000019
平面の両側に位置している。
中立軸の湾曲は、０％と２０％との間、好ましくは、１０％と１５％との間に含まれる空洞部を画定する。
点Ａにおける中立軸への接線は、
0005701204.tif 000020
と約１３°の角度αをなす。
ＡＢ部分の長さはＡＣ部分の長さの約３分の１に等しい。
駆動面は中立軸の周りでねじれている。
ねじれはブレードの少なくとも一部分に沿って連続している。
駆動面は部分ＢＣに沿って中立軸の周りでねじれているが、ＡＢ部分に沿ってねじれていない。
ＢＣ部分のねじれは４０°と８０°との間に含まれ、好ましくは、およそ６０°程度である。
ＢＣ部分のねじれは連続している。
ＡＢ部分はねじれがないと認められる。
駆動面は、中立軸と平行に延在すると認められる開口部を含む。
中立軸のすべての点ｐｉで、平面Ｐと垂直である平面
0005701204.tif 000021
に含まれる駆動面の断面は、平面
0005701204.tif 000022
に関して対称であり、ここで、平面
0005701204.tif 000023
および
0005701204.tif 000024
は直交座標系
0005701204.tif 000025
によって定義され、この直交座標系の原点はこの点と一致し、
0005701204.tif 000026
軸は点ｐｉにおける中立軸（１０）への接線と一致し、後縁部（５）の方へ方向付けられ、
0005701204.tif 000027
軸は上記ねじれに沿っている。
駆動面の断面は、円の一部分の形状を有すると認められる。
円部分の中心は中立軸に位置している。
前縁部に沿って測定された駆動面の断面の径Ｄｌｅａｄｉｎｇに対し、後縁部に沿って測定された駆動面の断面の径ｔｒａｉｌｉｎｇは、
Ｄｌｅａｄｉｎｇ／３．５≦Ｄｔｒａｉｌｉｎｇ≦Ｄｌｅａｄｉｎｇ／２．５
となるようにされる。
前縁部と後縁部との間の中立軸の長さＬは、
Ｄｌｅａｄｉｎｇ・３．５≦Ｌ≦Ｄｌｅａｄｉｎｇ・４．５
となるようにされる。
中立軸のすべての点ｐｉで、
0005701204.tif 000028
平面は、
0005701204.tif 000029
平面に含まれる開口部を画定する２つの縁部から等距離であると認められる。
【００１０】
さらに、本発明は、上述の特徴のいずれかによる少なくとも１つのブレードを備える、流体からエネルギーを発生させる装置用のローターを提供する。
【００１１】
本発明は、このようなローターに連結された発電機を備える、流体からエネルギーを発生させる装置をさらに提供する。
【００１２】
ローターは、流体の方向を向くように配置されている垂直マストに搭載される。好ましくは、この自動定位は、流体のフローによって誘起される抗力以外の外部システムまたは付属システムの補助を必要としない。
【００１３】
本発明の他の特徴、目的および利点は、非限定的な実施例として提示された添付図面と共に以下の詳細な説明を検討すると理解されたい。
【図面の簡単な説明】
【００１４】
【図１】発明の実施形態による平面
0005701204.tif 000030
に沿ったブレードの２次元図である。
【図２】
0005701204.tif 000031
平面における図１のブレードの２次元図である。
【図３】直交座標系
0005701204.tif 000032
における図１のブレードの３次元図である。
【図４】発明の別の実施形態によるブレード段階の３次元図である。
【図５】図４に示された実施例による３つのブレードを装備したローターの実施例の縦方向の図である。
【図６】図５に示されたローターの
0005701204.tif 000033
軸に沿った図である。
【図７】発明の変形実施形態によるブレードを装備したローターの実施形態の図である。
【図８】発明の変形実施形態によるブレードを装備したローターの実施形態の図である。
【発明を実施するための形態】
【００１５】
図１〜８を参照して、発明によるブレードの実施形態が次に提示される。図は、流体フローの効果によって軸
0005701204.tif 000034
の周りに回転することが意図されたブレード２を示す。軸
0005701204.tif 000035
は、エネルギー発生装置に含まれているときには常にブレード２が回転的に関連付けられることが意図されたシャフト１によって実体化される。図１〜８に示されたブレード２は、軸
0005701204.tif 000036
の周りで、直交座標系
0005701204.tif 000037
によって定義されるように、時計回り方向に回転するように設計されている。流体フローの方位および方向は、図１〜３において矢印によって示される。
【００１６】
ブレード２は、前縁部４によって上流側で、後縁部５によって下流側で画定された駆動面３を有する。駆動面３は、運転中にブレード２を回転的に駆動するため、流体が流れることが意図されている内部容積部を画定する。
【００１７】
駆動面３は中立軸１０に沿って延在する。中立軸１０は、主に、軸
0005701204.tif 000038
と平行であると認められる方向、したがって、風向きと平行であると認められる方向に延在する。本発明の目的であるブレード２は、よって、ローターを装備するため設計され、ローター軸と垂直に延在する多くのブレードとは異なる。
【００１８】
中立軸１０のすべての点ｐｉで、直交座標系
0005701204.tif 000039
を定義可能であり、この直交座標系の原点は点ｐｉと一致し、
0005701204.tif 000040
軸は点ｐｉでの中立軸１０への接線と一致し、後縁部５の方へ方向付けられている。よって、すべての点ｐｉで、
0005701204.tif 000041
平面は駆動面３の断面を画定する。
【００１９】
駆動面３の断面の寸法は前縁部４から後縁部５まで減少する。この減少は連続的でも不連続的であることができる。図示された実施例では、駆動面の断面の寸法の変化は、前縁部４から後縁部５まで連続的かつ直線的に減少する。断面の縮小は、流体が駆動面の内部を流れるとき、流体の加速を促進する。
【００２０】
中立軸１０は、
0005701204.tif 000042
平面への中立軸の投影が第１の湾曲を示すように配置される。
【００２１】
後縁部４で、中立軸１０は、
0005701204.tif 000043
軸に沿って、
0005701204.tif 000044
平面を切断する。
【００２２】
この湾曲は、流体が駆動面３に沿って流れるとき、主に、より低い抵抗を示すゾーンへ向かって逃げる傾向がある流体に追従することにより、流体のエネルギーの捕捉を改善させることができる。
【００２３】
中立軸１０は、
0005701204.tif 000045
平面へのこの中立軸の投影が第２の湾曲を示すように適切に配置される。
【００２４】
流体の運動エネルギーは、このようにして、より効率的に捕捉できるので、主に軸と平行な方向に沿って延在する既知のブレードと比べて、出力の適切な改善をもたらす。
【００２５】
駆動面は、中立軸１０と平行であると認められる開口部６を有する。
【００２６】
図示された実施例では、開口部６は前縁部４から後縁部５まで延在する。この開口部６は、同様に中立軸１０と平行に延在することが認められる２つの縁部を画定する。よって、平面
0005701204.tif 000046
において見られる駆動面のすべての断面は、上記縁部の一方にそれぞれに対応する第１および第２の先端部を有する外形を画定する。
【００２７】
駆動面３は、中立軸１０が上記第１の先端部を上記第２の先端部に接続するセグメントの中心の集合によって形成された線と実質的に一致するように成形される。
【００２８】
図示された実施形態では、上記中立軸１０の断面のそれぞれにおいて、上記外形は、
0005701204.tif 000047
軸と平行である対称軸に関して対称であると認められ、上記第１の先端部を上記第２の先端部に接続するセグメントの中心を通る。
【００２９】
適切な点として、外形は円の一部分を画定する。より詳細には、図示された実施例では、外形は半円の形状をしている。よって、駆動面３は、湾曲した軸をもつ半円錐形状を有する。
【００３０】
好ましくは、駆動面３は中立軸１０の周りにねじれる。このねじれは、図１〜６における実施形態のブレードで理解できる。駆動面３は、ブレード２が時計回りに回転することが意図されているとき、後縁部５が前縁部４に対して時計回り方向へ角度的にオフセットされるように成形されている。このねじれは、流体と駆動面３との間のエネルギー伝達を増加させるため、駆動面３が流体ストリームに追従するように設計されている。
【００３１】
ねじれは連続的でも不連続的であることができる。ねじれは、中立軸１０の全体に亘って延在することができ、または、中立軸の一部分だけに延在することができる。図示された実施例では、前縁部４から点Ｂを含む断面まで延在するブレード２の左部分は、前縁部４の２つの先端部を接続するセグメントに対するねじれを示さない。このましくは、このセグメントは、
0005701204.tif 000048
軸とほぼ一致する。第１の部分から後縁部５まで延在するブレード２の第２の部分はねじれている。有利な点として、ブレード２の第１の部分は、ブレードの長さのおよそ３分の１に亘って延在する。
【００３２】
ブレードの凹形状は、ブレードの長さの０％と２０％との間、好ましくは、１０％と１５％との間に含まれることができる空洞部を決定する。
【００３３】
この形状は、ローターに駆動トルクを生じる第１の空気力を助長する凹部をブレードの裏側に作り出すことに役立つ。
【００３４】
ブレードの断面の連続的な縮小は流体を加速させ、一方、中心線の湾曲は、外側に方向付けられたより大きい入射角を流体に与える傾向があるので、この方向に案内された流体を捕捉し、より低い抵抗を示す部分に向けて逃がすことができる。
【００３５】
駆動面３の特殊な配置は、流れる流体のエネルギーの回復を最適化する。その結果、これは、主に回転軸と平行に延在するブレードの出力の非常に有意な改善を可能にする。
【００３６】
要約すると，ブレード構造は２タイプの空気力を含む。
第１の空気力は、内側の圧縮と外側の陥没との結果であり、ブレードの湾曲によって助長される力であり、窪みを生じる（機械が設置された場所の流体速度の条件に適合している可能性がある）。まさにブレードの形状によって方向付けられた流体は可変入射角を有する。入射角毎に、ブレードは、全体として、ブレードを構成する基本の窪みのそれぞれが発生させることになるこのタイプのすべての力の結果である空気力を発生させる窪みを常に示す。
第２の力は、流体が中を流れる通路の断面が減少するときに流体が加速されるベルヌーイ現象の結果として生じる。断面の縮小、湾曲、および、ねじれは、それによって、この現象から生じるエネルギーを捕捉する。
【００３７】
最終的な結果はこれらの効果の組み合わせである。
【００３８】
図４〜６に示されたブレード２の実施例は次により詳細に説明される。
【００３９】
このようなブレード２は上述されたブレードの特徴を利用する。ブレードは、中立軸１０が平面Ｐに含まれるように配置される。
【００４０】
0005701204.tif 000049
軸は、中立軸１０と、
0005701204.tif 000050
平面との交点が中立軸１０上で前縁部４に位置していると認められる点Ａを画定するようにされる。
【００４１】
この平面Ｐは、
0005701204.tif 000051
平面に対し角度ｄで傾斜している。
【００４２】
角度ｄは、５０°と９０°との間に含まれるのが有利であり、好ましくは、５５°と６５°との間に含まれる。より有利な点として、この角度は６０°に等しいと認められる。
【００４３】
平面Ｐ内での中立軸１０の湾曲は、以下では主曲率と称される。好ましくは、主曲率は一定であると認められる。この主曲率は、Ｌ／２と１０Ｌとの間、好ましくは、０．７ＬとＬとの間に含まれる曲率半径Ｒρを有する。
【００４４】
よって、ブレード２の本実施例では、図１〜３および７〜８に示されているようなブレードに関して、
0005701204.tif 000052
平面への中立軸の投影は第１の湾曲を示し、
0005701204.tif 000053
平面への中立軸の投影は第２の湾曲を示す。
【００４５】
図１〜６に示された実施形態によって明らかにされているように、主曲率は、中立軸１０が、前縁部４から後縁部５まで、軸
0005701204.tif 000054
から離れるように成形される。図７および８に示された別の実施形態によれば、主曲率は、中立軸が、前縁部４から後縁部５まで、軸
0005701204.tif 000055
に近づくように成形される。本実施形態は出力の点で特に有利である。
【００４６】
有利な点として、点Ａは
0005701204.tif 000056
軸に位置し、平面Ｐは
0005701204.tif 000057
と平行であると認められる。
【００４７】
図１〜６に示された実施例では、前縁部４と後縁部５との間で、中立軸１０は、
0005701204.tif 000058
平面に含まれている点Ｂを含む。付加的に、中立軸１０は後縁部５に点Ｃを画定する。中立軸１０は、このように、点ＡおよびＢと、点ＢおよびＣとによってそれぞれ画定され、部分ＢＡと部分ＢＣとしてそれぞれ称される２つの部分を有する。
【００４８】
ブレード２は、部分ＡＢおよび部分ＢＣが平面
0005701204.tif 000059
の両側に位置するように配置される。図示された実施例では、
0005701204.tif 000060
軸上の点Ａの座標は正である。
0005701204.tif 000061
軸に部分ＡＢを形成する中心線上の点の座標は負であり、
0005701204.tif 000062
軸に部分ＢＣを形成する中心線の座標は正である。
【００４９】
点Ａにおける中立軸１０への接線は、
0005701204.tif 000063
平面と約１３°の角度をなす。
【００５０】
有利な点として、部分ＡＢの長さは部分ＡＣの長さの約３分の１に等しい。
【００５１】
駆動面３は中立軸１０の周りでねじれている。このねじれは、前縁部４から後縁部５へ向かって時計回りに起こる。
【００５２】
有利な点として、駆動面３は部分ＢＣに沿って中立軸の周りでねじれているが、ＡＢ部分に沿ってねじれていない。
【００５３】
好ましくは、ねじれは部分ＢＣに沿って連続的である。ねじれは、４０°と８０°との間に含まれ、好ましくは、およそ６０°程度である。
【００５４】
よって、ブレードは、特に、ブレード２に沿って作り出された圧縮および陥没から生じる空気力と、ベルヌーイ効果によって発生された流体加速とを組み合わせることができる。さらに、ブレード２によって引き起こされる効果は、流体を２次元空間内で導く既知のブレードと違って、３次元的に発生させられる。
【００５５】
部分ＡＢおよび部分ＢＣと関連付けられた空気力は、図１〜３を参照して上述されたブレードの第１の部分およびブレードの第２の部分とそれぞれに関連付けられた効果と類似していると認められる。
【００５６】
図１〜３および７〜８に図示されたブレード２と同様に、駆動面３は、中立軸１０と平行に延在すると認められる開口部６を含み、駆動面３の断面は半円の形状を有すると認められる。
【００５７】
駆動面３は単一部品として成形されることができる。図４は、幾何学的なブレードの段階を示している。この幾何学的なブレードは、ブレードが得られる金型を作成するため使用される。
【００５８】
以下の比率に従う寸法をもつ発明によるブレード２は特に高出力を有することがわかる。
Ｄｌｅａｄｉｎｇ／４≦Ｄｔｒａｉｌｉｎｇ≦Ｄｌｅａｄｉｎｇ／２
かつ
Ｄｌｅａｄｉｎｇ・３≦Ｌ≦Ｄｌｅａｄｉｎｇ・５
より詳細には、
Ｄｌｅａｄｉｎｇ／３．５≦Ｄｔｒａｉｌｉｎｇ≦Ｄｌｅａｄｉｎｇ／２．５
かつ
Ｄｌｅａｄｉｎｇ・３．５≦Ｌ≦Ｄｌｅａｄｉｎｇ・４．５
より詳細には、
Ｄｔｒａｉｌｉｎｇ＝Ｄｌｅａｄｉｎｇ／３
かつ
Ｌ＝４・Ｄｌｅａｄｉｎｇ
ここで、Ｄｌｅａｄｉｎｇは前縁部における駆動面の断面の特徴的な寸法である。半円形断面の場合、Ｄｌｅａｄｉｎｇは前縁部での上記断面の径に対応する。
Ｄｔｒａｉｌｉｎｇは後縁部における駆動面の断面の特徴的な寸法である。半円形断面の場合、Ｄｔｒａｉｌｉｎｇは後縁部での上記断面の径に対応する。
Ｌは前縁部と後縁部との間の中立軸１０の弦長である。
一実施例として、図４〜６に示されたブレード２は以下の寸法、
中立軸の長さＬ＝２ｍ、Ｄｌｅａｄｉｎｇ＝０．５０ｍ、Ｄｔｒａｉｌｉｎｇ＝０．１７ｍ、主曲率半径Ｒρ＝１．６０ｍ、角度ｄ＝６０°、中立軸の弧を切る角度Ｏ＝７２°、
を有する。
【００５９】
中立軸の長さは、望ましいエネルギー生産に適合し、メガワットの次数の大量のエネルギーに対し一様に保たれる。
【００６０】
上述されているように、発明の別の目的は、流体フローからエネルギーを発生させる装置用のローターである。
【００６１】
このようなローターは、図１および２に示されたシャフト１と、少なくとも１つのブレード２とを備える。図５および６に示されているように、ローターは、シャフトの周りに配置され、角度１２０°で互いに離間している３つのブレードを装備している。ブレードの数は増減してもよい。
【００６２】
ブレード２は、図示されていないが、駆動面３をローターシャフト１に接続する固定手段を備える。接続手段は、仏国特許第２１７２８６７号明細書に示されているように、当業者にとって周知である。
【００６３】
ブレードがシャフトに搭載されたとき、前縁部は、シャフト
0005701204.tif 000064
と一緒に、
0005701204.tif 000065
平面に入射角として知られている角度ａを画定する。ブレード２が周りを回転することが意図されている
0005701204.tif 000066
軸は風の向きと平行であると認められることを指摘しておく。
【００６４】
入射角は、−２０°と４０°との間、より有利な点として、−１５°と３０°との間に含まれる。より一層有利な点として、入射角は−１５°と１０°との間に含まれる。
【００６５】
ローターは、ローターを構成する部品への機械的負荷を削減するため、シャフト１と駆動面３との間の距離をできる限り制限するように配置される。よって、図５および６に示されているように、駆動面３はシャフト１と並列にされる。
【００６６】
ＸＹ平面内での平面Ｐの軌跡は、Ｘ軸と平行な直線であるが、傾斜角として知られている角度βをこの軸と形成することもできる。
【００６７】
傾斜角βは、０°と３０°との間、より有利な点として、０°と２０°との間に含まれる。より一層有利な点として、入射角βは０°と１２°との間に含まれる。
【００６８】
好ましくは、接続手段は、入射角および／または傾斜角βが風速の関数であるように配置される。よって、ローターの回転速度が風速とは無関係に一定に維持さえることが認められるように入射角を調節することができる。
【００６９】
図７および８に示された変形実施形態では、ローターは４つのブレードを備える。これらのブレードのそれぞれの中立軸は平面Ｐに含まれ、開口部６によって画定された２つのそれぞれの縁部もまたこの平面に含まれる。この最後の特徴は図７のブレードの２つにおいて明瞭に見ることができる。このブレードは、図１〜６を参照して上述されたブレードの特徴を組み込んでいる。しかし、ブレードは必ずしも中立軸の周りでねじれなくてもよい。中立軸は湾曲している。この湾曲は、後縁部５と軸
0005701204.tif 000067
を互いに接近させる傾向がある。
【００７０】
発明は、
0005701204.tif 000068
軸周りに自由に回転するローターが搭載される吊りかごと、ローターに接続されたエネルギー発生器とを有するエネルギー発生装置にさらに関係する。
【００７１】
有利な点として、この装置は、風向きと平行にローターシャフト１を方向付けることが認められる回転手段を備える。
【００７２】
吊りかごは、流体の方向が水平であるときに、垂直方向に延在することが認められるマストに回転式に搭載されることもできる。さらに、この装置は、付加的な回転手段を用いることなく、抗力がシステムを流体に向かうように方向付けるために配置されることもできる。
【００７３】
本発明の目的であるブレードは、既知のエネルギー発生装置より実質的に高い収率をもつエネルギー発生装置を製造するため使用されている。
【００７４】
発明によるブレードは、ブレードを製造するため使用することができる方法のうちの１つによっても定義することができる。このような方法は、軸
0005701204.tif 000069
の周りにブレードを回転させるため、流体が内部を流れることが意図されている駆動面を備え、ブレードが前縁部および後縁部によって画定され、駆動面が前縁部と後縁部との間で狭くなる、ブレードを利用するステップを含む。付加的に、この方法は、駆動面が平面Ｐに含まれている中立軸に沿って延在するようにブレードが配置されるステップを含む。さらに、駆動面は、平面Ｐが、前縁部で中立軸が交差するようにされている直交平面
0005701204.tif 000070
に対して角度ｄで傾斜するように配置されている。
【００７５】
中立軸が平面Ｐ内で湾曲するように付加的なステップを含めることができる。
【００７６】
この湾曲は、図１〜６に示されているように、後方軸が
0005701204.tif 000071
から離れる傾向をもつようにされることができる。本実施形態は風力タービンの収率を著しく改善する。
【００７７】
駆動面は中立軸の周りでねじれるようにされることが可能である。
【００７８】
別の実施形態によれば、駆動面は、
第１の湾曲の方向と呼ばれる湾曲の方向が軸
0005701204.tif 000072
と平行であると認められる第１の湾曲と、第２の湾曲方向と呼ばれる湾曲の方向が第１の湾曲方向に対して傾斜していると認められる第２の湾曲とを有する。適切な点として、第２の湾曲方向は第１の湾曲方向と垂直であると認められる。より詳細には、第２の湾曲方向は、
0005701204.tif 000073
平面と垂直であると認められる。
【００７９】
有利な点として、ブレードは、前縁部から後縁部まで延在し、第１の湾曲方向に沿った曲率が零であると認められる第１の部分を備える。ブレードは、第１の部分から後縁部まで延在し、曲率が第１の湾曲方向に沿っている第２の部分を備える。この第１の湾曲は、後縁部と軸
0005701204.tif 000074
が収束する傾向があるようにされる。
【００８０】
この２重曲率は、流体とブレードとの間のエネルギー伝達を改善するために役立つ。この２重曲率はブレードの出力を高める。
【００８１】
湾曲方向は、軸方向であるか、または、互いに平行な軸の方向であり、軸の周りで望ましい曲率を得るようにブレードが変形される。同じブレード部分はいくつかの湾曲方向を有することができる。
【００８２】
ブレードは、同じ湾曲方向に沿って、または、半径が変化し、および／または、この同じ湾曲方向と平行であるいくつかの曲率の軸を有する湾曲方向に沿って、一定の曲率（同じ軸、同じ半径）を有することができる。適切である点は、第１の曲率および第２の曲率のそれぞれが湾曲したブレード部分に沿って一定である。
【００８３】
上述の実施形態によるブレードは、ブレードを取得する方法のうちの１つによって画定することも可能である。このような方法は、軸
0005701204.tif 000075
の周りにブレードを回転式に駆動するため、流体が内部を流れることが意図されている駆動面を備え、ブレードが前縁部および後縁部によって画定され、駆動面が前縁部と後縁部との間で狭くなる、ブレードを使用することで構成される。
【００８４】
第１の湾曲方向に沿って、少なくとも後縁部から前縁部まで延在する部分に沿ってブレードを湾曲させる１つのステップが含まれている。
【００８５】
第１の湾曲方向に対し傾斜していることが認められる第２の湾曲方向に沿って、少なくともこの同じ部分に沿ってブレードを湾曲させる別のステップがさらに含まれている。第２の湾曲方向は第１の湾曲方向と垂直であると認められる。
【００８６】
好ましくは、第１の湾曲方向は、
0005701204.tif 000076
平面と垂直であると認められ、第２の湾曲方向は、
0005701204.tif 000077
平面と垂直であると認められる。
【００８７】
これらの２つのブレード湾曲ステップは、上述されているように、中立軸が直交平面
0005701204.tif 000078
に対して角度ｄで傾斜した平面Ｐ内に維持されるように実行することができる。
【００８８】
中立軸の周りで駆動面をねじるステップがさらに設けられることができる。
【００８９】
本発明は、上述の実施形態に限定されることはないが、本発明の意図と整合したすべての実施形態にまで及ぶ。
【００９０】
さらに、前縁部４および後縁部５の外形は、中立軸が、中立軸の長手の本質的な部分に沿って、上述の特徴を含まない場合でも調節することができる。
【００９１】
さらに、このタイプのブレードは、あらゆるタイプの流体と共に、特に、空気または水と共に使用されることができる。
【符号の説明】
【００９２】
１ シャフト
２ ブレード
３ 駆動面
４ 前縁部
５ 後縁部
６ 開口部
７ Ｄ前縁
８ Ｄ後縁
９ 弦長
１０ 中立軸
【図１】
0005701204.tif 000099
【図２】
0005701204.tif 000100
【図３】
0005701204.tif 000101
【図４】
0005701204.tif 000102
【図５】
0005701204.tif 000103
【図６】
0005701204.tif 000104
【図７】
0005701204.tif 000105
【図８】
0005701204.tif 000106